【事件の表示】
　特許第３０９９３７９号「画像読取装置」の請求項１、２に係る特許に対する特許異議の申立てについて、次のとおり決定する。
【結　論】
　訂正を認める。
　特許第３０９９３７９号の請求項１に係る特許を取り消す。
【理　由】
１．手続の経緯
　本件特許第３０９９３７９号に係る出願は、平成３年１月２９日に出願され、平成１２年８月１８日に特許の設定登録がされ、その後その特許請求の範囲における請求項１〜２に係る発明について異議申立人梅沢晃から特許異議の申立がなされ、取消しの理由が通知され、その指定期間である平成１３年１２月２７日に訂正請求がなされた後、訂正拒絶理由が通知され、平成１４年４月２３日に手続補正書が提出されたものである。
　
２．訂正の適否についての判断
（１）訂正請求に対する補正の適否について
　平成１４年４月２３日付けの手続補正書による補正事項は、
（ａ）訂正請求書第２頁第１６〜１７行記載の訂正事項
　「読取センサが光軸方向に位置調節可能に取り付けられたセンサ用基板を台板に取り付けることにより読取センサアセンブリを構成し」
を、
　「読取センサが取り付けられたセンサ用基板を、光軸方向に位置調節可能に台板に取り付けることにより読取センサアセンブリを構成し」
と補正し、
（ｂ）訂正請求書第３頁第６〜８行記載の訂正事項
　「読取センサが位置調節可能に取り付けられたセンサ用基板を台板に取り付けることにより読取センサアセンブリを構成し」
を、
　「読取センサが取り付けられたセンサ用基板を、光軸方向に位置調節可能に台板に取り付けることにより読取センサアセンブリを構成し」
と補正し、
（ｃ）訂正請求書第３頁第１０〜１１行記載の訂正事項
　「読取センサが光軸方向に位置調節可能に読取センサアセンブリに取り付けられていることは」
を、
　「読取センサが取り付けられたセンサ用基板が、光軸方向に位置調節可能に台板に取り付けられていることは、」
と補正し、
（ｄ）訂正請求書第３頁第２１行記載の
　「読取センサアセンブリへの取り付けの際に」
を、
　「センサ用基板を台板に取り付ける際に」
と補正し、
（ｅ）訂正明細書の請求項１に記載された
　「読取センサが光軸方向に位置調節可能に取り付けられたセンサ用基板を台板に取り付けることにより読取センサアセンブリを構成し」
を、
　「読取センサが取り付けられたセンサ用基板を、光軸方向に位置調節可能に台板に取り付けることにより読取センサアセンブリを構成し」
と補正するものである。
　
（２）訂正請求に対する補正の適否についての判断
　上記訂正請求に対する補正は、訂正請求書の誤記を補正するものであるから、訂正請求書の要旨を変更するものでなく、特許法第１２０条の４第３項において準用する同法第１３１条第２項の規定に適合する。
　　
（３）訂正の内容
　平成１４年４月２３日付けの手続補正により補正された訂正請求書（以下、「訂正請求書」という。）による訂正事項は、
（ａ）特許請求の範囲の請求項１
　「【請求項１】読取センサが取り付けられたセンサ用基板を台板に取り付けることにより読取センサアセンブリを構成し、該読取センサアセンブリを読み取り光学系内に取り付けた画像読取装置におけるサイドレジ（読取センサの画像領域スタート位置）の位置調整装置において、
　前記読取センサアセンブリの前記サイドレジの狂いを検出するサイドレジ狂い検出手段と、
　該サイドレジ狂い検出手段により検出されたサイドレジ狂い量に応じて前記画像読取装置の電気処理系における読取センサの画像領域スタート位置を調整する電子サイドレジ位置調整手段と
　を少なくとも備えていることを特徴とする画像読取装置。」
を、
　「【請求項１】読取センサが取り付けられたセンサ用基板を、光軸方向に位置調節可能に台板に取り付けることにより読取センサアセンブリを構成し、該読取センサアセンブリを読み取り光学系内に取り付けた画像読取装置におけるサイドレジ（読取センサの画像領域スタート位置）の位置調整装置において、
　前記読取センサアセンブリの前記サイドレジの狂いを検出するサイドレジ狂い検出手段と、
　該サイドレジ狂い検出手段により検出されたサイドレジ狂い量に応じて前記画像読取装置の電気処理系における読取センサの画像領域スタート位置を調整する電子サイドレジ位置調整手段と
　を少なくとも備えていることを特徴とする画像読取装置。」
と訂正し、
（ｂ）特許請求の範囲の請求項２を削除し、
（ｃ）明細書の段落【００１２】及び【００３１】における記載を削除すると共に、段落番号【００１３】〜【００３０】を【００１２】〜【００２９】と
訂正するものである。
　
（４）訂正の目的の適否、新規事項の有無及び拡張・変更の存否
　上記訂正事項ａは、願書に添付した明細書に記載された事項の範囲内において訂正するものであり、特許請求の範囲の減縮に該当し、新規事項の追加に該当しない。
　上記訂正事項ｂは、特許請求の範囲の削除であるから、特許請求の範囲の減縮に該当し、
　上記訂正事項ｃは、明瞭でない記載の釈明を目的として、願書に添付した明細書に記載された事項の範囲内において訂正するものであり、新規事項の追加に該当しない。
　そして、上記訂正は、実質上特許請求の範囲を拡張し、変更するものでもない。
　
（５）以上のとおりであるから、上記訂正は、特許法第１２０条の４第２項及び同３項において準用する同法第１２６条第２項及び同第３項の規定に適合するので、当該訂正を認める。
　
３．本件発明
　上記２．で示したように上記訂正が認められるから、本件請求項１に係る発明は、上記訂正に係る訂正明細書の特許請求の範囲の請求項１に記載された事項により特定される次のとおりのものである。
　
　「【請求項１】読取センサが取り付けられたセンサ用基板を、光軸方向に位置調節可能に台板に取り付けることにより読取センサアセンブリを構成し、該読取センサアセンブリを読み取り光学系内に取り付けた画像読取装置におけるサイドレジ（読取センサの画像領域スタート位置）の位置調整装置において、
　前記読取センサアセンブリの前記サイドレジの狂いを検出するサイドレジ狂い検出手段と、
　該サイドレジ狂い検出手段により検出されたサイドレジ狂い量に応じて前記画像読取装置の電気処理系における読取センサの画像領域スタート位置を調整する電子サイドレジ位置調整手段と
　を少なくとも備えていることを特徴とする画像読取装置。」
　
５．特許異議申立て理由の概要
　申立人梅沢晃は、証拠として
（１）甲第１号証
　実願平１−１７０６号（実開平２−９３８６６号）の願書に添付した明細書及び図面の内容を撮影したマイクロフィルム（平成２年７月２５日特許庁発行）
（２）甲第２号証
　　実願昭６２−１１９３１６号（実開昭６４−２５２６７号）の願書に添付した明細書及び図面の内容を撮影したマイクロフィルム（昭和６４年２月１３日特許庁発行）
を提出し、
　請求項１〜２に係る発明は、甲第１号証〜甲第２号証に記載された発明に基づいて、その発明の属する技術の分野における通常の知識を有する者が容易に発明をすることができたものであるから、特許法第２９条第２項の規定に違反してなされたものであり、したがって、同法第１１３条第１項第２号の規定により特許を取り消すべき旨主張し、
　そして、請求項２に係る発明は、「発明の詳細な説明」の欄に記載されていない事項を特許請求の範囲に発明の構成要件として規定したものであるから、特許法第３６条第５項１号に規定する要件を満たさぬ特許出願に対してなされた特許であるから、同法第１１３条第１項第４項の規定により特許を取り消すべき旨主張している。
　
５．引用刊行物記載の発明
（１）当審が通知した取消理由に引用した
　実願平１−１７０６号（実開平２−９３８６６号）の願書に添付した明細書及び図面の内容を撮影したマイクロフィルム（平成２年７月２５日特許庁発行）（以下「刊行物１」という。）（甲第１号証）には、図面と共に次の事項が記載されている。
　
（ア）「［産業上の利用分野］
　本考案は、イメージセンサにより原稿の画像を読み取るディジタル読み取り装置に関し、特に、イメージセンサを含む読み取り光学系に対して位置調整を行う装置に関する。」（第１頁第１２〜１６行）
　　  
（イ）「［課題を解決するための手段］
　本考案のディジタル読み取り装置は、この目的を達成するため、イメージセンサが直接取り付けられたセンサ用基板を、予め台板に対して所定の精度内に位置を調整した後に固定してイメージセンサアセンブリを構成し、更に、該イメージセンサアセンブリを読み取り光学系に対して位置調整可能に取り付けたことを特徴とする。」（第６頁第１６行〜第７頁第３行）
　
（ウ）「第１図に示されるように、イメージセンサ１はセンサ用基板２に取り付けられ、更にこのセンサ用基板２が、取り付け軸３ｃ，３ｄを介して第１の台板３に取り付けられており、全体としてイメージセンサアセンブリ４を構成している。（以下、中略）
　前記イメージセンサアセンブリ４は、第３図及び第４図に示すように、第２の台板３３を介してベースプレート２０に取り付けられる。」（第７頁第１７行〜第８頁第１６行）
　
（エ）「すなわち、先端レジストレーション調整のためには、（以下、中略）
　また、サイドレジストレーション調整のためには、第６図に示されるマーキング１４，１５を読み取り、第８図（ａ），（ｂ）に示すように、基準信号１９の原稿読取開始位置ｈ（第６図におけるイメージセンサ１のｎ番目の画素に対応）が、ビデオ出力１６中のマーキング１４とマーキング１５に対応する出力ｑと出力ｐの間の範囲ｇ内に位置するようにｂ方向に調整される。すなわち、ｂ方向の調整については、調整治具２１を利用して、第２の台板３３をベースプレート２０に対して動かすことにより調整する。
　次に、解像度及び倍率調整のため、（以下、中略）
　以上の調整後、イメージセンサ１は装置本体側に固定される。すなわち、イメージセンサアセンブリ４を取り付けている第２の台板３３は、この第２の台板３３に形成されたねじ貫通孔３６ａ，３７ｂを介して取付ねじ３７ａ，３７ｂをベースプレート２０にねじ込むことによりベースプレート２０に固定され、また、ベースプレート２０は装置本体にねじ（図示せず）により固定されている。」（第９頁第１６行〜第１２頁第２行）
　
（オ）「ここで、本実施例においては、第１図に示すイメージセンサアセンブリ４を一つのサブユニットとし、このサブユニットの状態で事前に調整しておくことが特徴である。（以下、中略）
　以上の調整後、第４図に示すように、第２の台板３３をベースプレート２０に取付ねじ３７ａ，３７ｂで固定し、更に、装置本体のフレーム（図示せず）上に配置された別プレート（図示せず）にベースプレート２０を固定する。レンズ９も同様に別プレートにより固定される。」（第１２頁第３行〜第１４頁第１５行）
　
（カ）「上述の作業により調整工程は終了するが、装置販売後、販売先でイメージセンサ１或いはセンサ用基板２が故障した場合、前述のサブ調整がされているアセンブリ体すなわち、イメージセンサ１，基板２及び台板３からなるイメージセンサアセンブリ４のみを交換すればよい。
　この際、取り付けの誤差、すなわち、出荷時の調整位置に体する部品取り付け時の誤差は、新しいアセンブリの第１の台板３の位置決め用の基準穴３ａ，３ｂの抜き位置交差のみとなるため、出力イメージにおける位置誤差は、微細なものとなる。したがって、イメージセンサアセンブリ４交換後も、出荷時のイメージセンサ位置と変わりない位置を維持できる。これにより、従来のように第１１図に示すような誤差調整機構を組み入れて、オシロスコープでビデオ信号の波形を確認しながら調整する必要がなくなり、ユーザー先での交換作業性が格段に向上する。
　このように、イメージセンサアセンブリ４交換のみで充分な取り付け精度が得られるのは、旧イメージセンサアセンブリと新イメージセンサアセンブリとは、同じサブ調整治具３０により第１の台板３に対して調整されており、同一性能の部品と見做せるからである。（第１４頁第１６行〜第１５頁第１９行）
　
（キ）「［考案の効果］
　以上に述べたように、本考案によれば、イメージセンサが取り付けられた基板と台板とを事前に位置調整してイメージセンサアセンブリを構成し、組立ラインではそのアセンブリ体を１部品と見做して機械に対して再調整を行うようにしている。これにより、装置の販売先において、イメージセンサ或いはその基板が故障を起こした際に、サブ調整されたイメージセンサアセンブリのみを交換するだけで充分な取り付け精度が得られるので大幅にコストを低減できるとともに、修理時間を短縮できる。」（第１６頁第１５行〜第１７頁第６行）　
　
　上記の記載（ア）〜（キ）より刊行物１には、次のことが記載されている。
　「まず、イメージセンサ１はセンサ用基板２に取り付けられ、更にこのセンサ用基板２が、取り付け軸３ｃ，３ｄを介して第１の台板３に取り付けられて、全体としてイメージセンサアセンブリ４を構成する。
　次に、前記イメージセンサアセンブリ４は、第２の台板３３を介してベースプレート２０に取り付けられる。
　このとき、先端レジストレーション調整、サイドレジストレーション調整、および解像度及び倍率調整を行う。
　特に、サイドレジストレーション調整のためには、第６図に示されるマーキング１４，１５を読み取り、第８図（ａ），（ｂ）に示すように、基準信号１９の原稿読取開始位置ｈが、ビデオ出力１６中のマーキング１４とマーキング１５に対応する出力ｑと出力ｐの間の範囲ｇ内に位置するようにｂ方向に調整される。すなわち、ｂ方向の調整については、調整治具２１を利用して、第２の台板３３をベースプレート２０に対して動かすことにより調整する。
　この調整作業の後、イメージセンサ１は装置本体側に固定される。すなわち、イメージセンサアセンブリ４を取り付けている第２の台板３３は、この第２の台板３３に形成されたねじ貫通孔３６ａ，３７ｂを介して取付ねじ３７ａ，３７ｂをベースプレート２０にねじ込むことによりベースプレート２０に固定され、また、ベースプレート２０は装置本体にねじにより固定される。
　以上の調整後、第４図に示すように、第２の台板３３をベースプレート２０に取付ねじ３７ａ，３７ｂで固定し、更に、装置本体のフレーム上に配置された別プレートにベースプレート２０を固定する。レンズ９も同様に別プレートにより固定される。
　上述の作業により調整工程は終了するが、装置販売後、販売先でイメージセンサ１或いはセンサ用基板２が故障した場合、前述のサブ調整がされているアセンブリ体すなわち、イメージセンサ１，基板２及び台板３からなるイメージセンサアセンブリ４のみを交換すればよい。
　この際、取り付け誤差、すなわち、出荷時の調整位置に体する部品取り付け時の誤差は、新しいアセンブリの第１の台板３の位置決め用の基準穴３ａ，３ｂの抜き位置交差のみとなるため、出力イメージにおける位置誤差は、微細なものとなる。
　したがって、イメージセンサアセンブリ４交換後も、出荷時のイメージセンサ位置と変わりない位置を維持できる。これにより、従来のように誤差調整機構を組み入れて、オシロスコープでビデオ信号の波形を確認しながら調整する必要がなくなり、ユーザー先での交換作業性が格段に向上する。
　上述の如く、イメージセンサが取り付けられた基板と台板とを事前に位置調整してイメージセンサアセンブリを構成し、組立ラインではそのアセンブリ体を１部品と見做して機械に対して再調整を行うようにしている。これにより、装置の販売先において、イメージセンサ或いはその基板が故障を起こした際に、サブ調整されたイメージセンサアセンブリのみを交換するだけで充分な取り付け精度が得られるので大幅にコストを低減できるとともに、修理時間を短縮できる。」
　
（２）同じく、当審が通知した取消理由に引用した
　実願昭６２−１１９３１６号（実開昭６４−２５２６７号）の願書に添付した明細書及び図面の内容を撮影したマイクロフィルム（昭和６４年２月１３日特許庁発行）（以下「刊行物２」という。）（甲第２号証）には、図面と共に次の事項が記載されている。
　
（ク）「（産業上の利用分野）
　本考案は画像読取装置に関し、特に読取開始位置の微細な調整作業を省くことを目的とした画像読取装置に関する。」（第２頁第７〜１０行）
　
（ケ）「（考案が解決しようとする問題点）
　しかしながら、このような従来の画像読取装置にあっては、画像読取手段あるいは光学系の位置調整を行うことにより読取開始位置の調整行っていたため、読取開始位置の調整に、微妙な調整作業が必要となり、作業性および生産性が悪いという問題点があった。特に、光学系を有する画像読取手段にあっては、レンズとの関係で微妙な位置調整を行わなければならず、作業者の慣れと勘に頼る所が大きく、特に、作業性、生産性が悪いという問題点があった。
　また、画像読取装置の納入後に、読取開始位置の再調整が必要となった場合、調整作業に慣れた者しか調整ができず、保守性が悪いという問題点があった。」（第３頁第１０行〜第４頁第４行）
　
（コ）「特に、主走査に関しては主走査が原稿１８の左端から正確に開始される必要がある。
　そこで、従来にあっては、前述のように、生産工程において作業者がスキャナ１０のラインイメージセンサ１７からの先頭データが原稿１８の左端、すなわち読取開始位置のデータとなるようにスキャナ１０の光学系等を調整しており、微妙な調整作業を行っていた。
　しかし、本実施例にあっては、スキャナ１０から出力される画像データのうち原稿１８以外のデータを補正回路３１で取り除いてバッファメモリ３３に送ることにより、バッファメモリ３３に送られる画情報が原稿１８の正確な情報となるように回路的に調整している。
　この補正動作を行わせるには、まず、補正データをメモリ３１ｂに入れる処理が必要となるが、この処理は通常、ファクシミリ装置１の生産工程の最終工程で行われる。
　この処理（補正データ入力処理）について、第４図に示すフローチャートに基づいて説明する。
　この処理にあっては、まず、操作部４のキー操作により、調整モード（補正データ入力モード）に入り（ステップＰ１）、基準治具４６（第５図参照）を読取装置にセットする（ステップＰ２）。
　基準治具４０は、第５図に示すように、左端部が黒く塗られた治具であり、読取位置Ｐにセットしたとき、左端部の黒く塗られた部分とそれより右側の白く処理された部分との境目が読取開始位置となる治具である。
　次いで、ラインイメージセンサ１７により基準治具を４０を読み取らせ（ステップＰ３）、このときラインイメージセンサ１７から出力される画像データを白／黒判定回路３１ａで白／黒判定する。システム制御部３８は白／黒判定回路３１ａからの判定結果により読取開始位置Ｘを判別し、先頭ビットから読取開始位置Ｘまでのビット数を計算してメモリ３１ｂに記憶させる（ステップＰ４）。」（第１１頁第７行〜第１３頁第５行）
　
（サ）「読取位置Ｐに原稿１８が送給されると、ラインイメージセンサ１７により先頭ラインから原稿１８の読み取りが開始される。ラインイメージセンサ１７は読み取りを開始すると、ディジタル信号として画像データを先頭ビットから白／黒判定回路３１ａに出力し、白／黒判定回路３１ａはラインイメージセンサ１７から送られてくる画像データのビット数を計算してシステム制御部３８に出力する。システム制御部３８は白／黒判定回路３１ａでのビット数の計算値がメモリ３１ｂに補正データとして記憶されているビット数になるまでは、ラインイメージセンサ１７から送られてくる画像データをバッファメモリ３３に出力させず、白／黒判定回路３１ａでの計数値がメモリ３１ｂの補正値と一致すると、それ以後のラインイメージセンサ１７から送られてくる画像データを正規の画像データとしてバッファメモリ３３に出力させる。すなわち、上記白／黒判定回路３１ａ、メモリ３１ｂおよびシステム制御部３８は補正データ入力時に読取開始位置Ｘを示す補正データを記憶し、原稿読取時、該補正データに基づいて読取位置開始Ｘ以後のデータのみを正規のデータとして出力する補正手段５０を構成する。」（第１５頁第１９行〜第１７行第１行）
　
（シ）「（効果）
　本考案によれば、画像読取装置の読取開始位置を基準治具を用いて入力した補正データに基づいて補正することができ、従来のような読取開始位置の微妙な調整作業を省くことができる。したがって、画像読取装置の生産上の作業性を向上させ、生産性を向上させることができ、また、保守性を向上させることができる。」（第１８頁第１４行〜第１９頁第１行）
　
６．対比・判断
（ｉ）請求項１に係る発明
（対比）
　請求項１に係る発明と刊行物１に記載された発明とを対比すると、
　刊行物１には、読取センサが取り付けられたセンサ用基板を台板に取り付けることにより読取センサアセンブリを構成し、該読取センサアセンブリを読み取り光学系内に取り付けた画像読取装置が記載されている（前記（ア）〜（キ）参照。）から、刊行物１に記載された発明と請求項１に記載された発明とは、この点において差異がない。
　刊行物１には、サイドレジ（読取センサの画像領域スタート位置）の狂いを検出し、検出された狂い量に応じてサイドレジ（読取センサの画像領域スタート位置）を調整している（前記（エ）参照。）から、刊行物１に記載された発明と請求項１に係る発明とは、この点において差異はない。
　そうすると、請求項１に係る発明と刊行物１に記載された発明とは、
　
（一致点）
　「読取センサが取り付けられたセンサ用基板を、（光軸方向に位置調節可能に）台板に取り付けることにより読取センサアセンブリを構成し、該読取センサアセンブリを読み取り光学系内に取り付けた画像読取装置におけるサイドレジ（読取センサの画像領域スタート位置）の位置調整装置において、
　前記読取センサアセンブリの前記サイドレジの狂いを検出するサイドレジ狂い検出手段と、
　該サイドレジ狂い検出手段により検出されたサイドレジ狂い量に応じて前記画像読取装置の（電気処理系における）読取センサの画像領域スタート位置を調整する（電子）サイドレジ位置調整手段と
　を少なくとも備えていることを特徴とする画像読取装置。」
である点で一致し、次の２点で相違する。
　
（相違点１）
　請求項１に係る発明は、読取センサが取り付けられたセンサ用基板を、光軸方向に位置調節可能に台板に取り付けているのに対し、刊行物１に記載された発明は、読取センサが取り付けられたセンサ用基板を、光軸方向に位置調節可能に台板に取り付けるとの明記がない点。
　
（相違点２）　　　　　　　　　　　　　　　　　請求項１に係る発明は、サイドレジ狂い量に応じて電気処理系における読取センサの画像領域スタート位置を調整するのに対して、刊行物１に記載された発明は、サイド狂い量に応じて機械系及び光学系における読取センサの画像領域スタート位置を調整する点。
　
（判断）
（相違点１について）
　ＭＴＦ調整を行うためには、レンズと読取センサとの相互の距離を調整しなければならないが、いずれを静止とし、いずれを移動させるかは、単なる相対移動の問題に過ぎず、当業者が適宜なし得る設計事項であると認められるところ、刊行物１には、「更に、センサプレート２５に設けた調整用立ち上げ部２５ａ，２５ｂに調整用ねじ２７ａ，２７ｄをねじこんで、その先端を調整用中板２４に当接させ、ｄ’方向の調整を行う。なお、２６ａ〜２６ｅは各調整用ねじ２７ａ〜２７ｅの緩みを防止するためのスプリングである。」（第４頁第１６行〜第５頁第１行）との記載があり、図面第１２図には、方向ｄ’が、光軸方向であることが明瞭に開示されている。
　そして、請求項１に係る発明の光軸方向への調整機構も刊行物１に記載の従来例のそれとほぼ同じ機構であるので、このような周知の調整機構を設けることにより、読取センサが取り付けられたセンサ用基板を光軸方向に位置調節可能に台板に取り付けることは、当業者が適宜なし得ることである。
（相違点２について）
　刊行物２には、サイドレジ（読取センサの画像領域スタート位置）の狂いを検出し、該狂い量に応じて画像読取装置の補正手段５０（電気処理系に相当）における読取センサの画像スタート位置を調整することにより、機械的な微細調整作業を省き、生産性と保守性をともに向上させることが記載されており（前記（ク）〜（シ）を参照。）、
　そして刊行物２に記載された発明の技術分野は読取装置であり、刊行物１に記載された発明の技術分野のそれとは全く同じであり、かつ、いずれの発明もサイドレジの調整に関する発明であり、その目的とするところも同じであるから、刊行物１に記載された発明と刊行物２に記載された発明とを組み合わせることを阻害する要因は存在せず、刊行物２に記載された発明の電子的なサイドレジ位置調整手段を、刊行物１に記載された発明の機械的サイドレジ位置調整手段実行後に実行すべき電子的サイド位置調整手段とし、本願発明の如く構成することは、当業者が適宜なし得ることである。
　　
７．むすび
　以上のとおりであるから、本件請求項１に係る発明は、刊行物１〜２に記載された発明、及び周知慣用されている技術とに基いて、当業者が容易に発明をすることができたものであるから、本件請求項１に係る発明の特許は、特許法第２９条第２項の規定に違反してなされたものである。
　したがって、本件請求項１に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
　
【異議決定日】
平成１４年６月１９日（２００２．６．１９）
【訂正の要旨】
訂正の要旨
（訂正事項ａ）
特許請求の範囲の請求項１
　「【請求項１】読取センサが取り付けられたセンサ用基板を台板に取り付けることにより読取センサアセンブリを構成し、該読取センサアセンブリを読み取り光学系内に取り付けた画像読取装置におけるサイドレジ（読取センサの画像領域スタート位置）の位置調整装置において、
　前記読取センサアセンブリの前記サイドレジの狂いを検出するサイドレジ狂い検出手段と、
　該サイドレジ狂い検出手段により検出されたサイドレジ狂い量に応じて前記画像読取装置の電気処理系における読取センサの画像領域スタート位置を調整する電子サイドレジ位置調整手段と
　を少なくとも備えていることを特徴とする画像読取装置。」
を、
　「【請求項１】読取センサが取り付けられたセンサ用基板を、光軸方向に位置調節可能に台板に取り付けることにより読取センサアセンブリを構成し、該読取センサアセンブリを読み取り光学系内に取り付けた画像読取装置におけるサイドレジ（読取センサの画像領域スタート位置）の位置調整装置において、
　前記読取センサアセンブリの前記サイドレジの狂いを検出するサイドレジ狂い検出手段と、
　該サイドレジ狂い検出手段により検出されたサイドレジ狂い量に応じて前記画像読取装置の電気処理系における読取センサの画像領域スタート位置を調整する電子サイドレジ位置調整手段と
　を少なくとも備えていることを特徴とする画像読取装置。」
と訂正し、
（訂正事項ｂ）
　特許請求の範囲の請求項２を削除し、
（訂正事項ｃ）
　明細書の段落【００１２】及び【００３１】における記載を削除すると共に、段落番号【００１３】〜【００３０】を【００１２】〜【００２９】と
訂正するものである。
（５４）【発明の名称】
画像読取装置
（５７）【特許請求の範囲】
　【請求項１】
　読取センサが
取り付けられたセンサ用基板を、光軸方向に位置調節可能に
　前記読取センサアセンブリの前記サイドレジの狂いを検出するサイドレジ狂い検出手段と、
　該サイドレジ狂い検出手段により検出されたサイドレジ狂い量に応じて前記画像読取装置の電気処理系における読取センサの画像領域スタート位置を調整する電子サイドレジ位置調整手段と
　を少なくとも備えていることを特徴とする画像読取装置。
【発明の詳細な説明】
　【０００１】
　【発明の属する技術分野】
　本発明は、読取センサが直接取り付けられたセンサ用基板を、予め台板に対して所定の精度内に位置のサブ調整した後に固定して構成される読取センサアセンブリを備えた画像読取装置に関するものである。
　【０００２】
　【従来の技術】
　従来、ディジタル複写機、イメージスキャナ、ファクシミリ装置等においては、読取センサにより原稿の画像を読み取るディジタル読み取り装置を使用している。
　このディジタル読み取り装置においては、読取センサとして、例えばＣＣＤ（電荷結合素子）を使用し、原稿画像の濃淡を電気信号のレベルの高低に変換してる。
　【０００３】
　図１１はディジタル読み取り装置を使用した複写機のイメージスキャナ部分の光学系の一例を模式的に示す図である。
　図１１に示すように、この複写機のイメージスキャナ部分の光学系においては、原稿載置台０１に載置された原稿（不図示）からの反射光をミラー０２，０３，０４及び光学レンズ０５により読取センサ０６上に結像するようにしている。
　そして、読取センサ０６を主走査方向に延設して、原稿の主走査方向のラインを同時に走査しながら、ミラー０２，０３，０４及び光学レンズ０５を、結像条件を満足させながら副走査方向に移動させることにより原稿の全面を走査するようにしている。
　【０００４】
　このような光学系を同一平面上に展開すると図１２に示すようになり、原稿載置台０１上の原稿の画像は、光学レンズ０５により１／Ｎ（Ｎ：倍率）に縮小されて読取センサ０６上に結像する。
　この読取センサ０６は複写機本体にセンサプレート等を介して取り付けられるが、その場合読取センサ０６が所定の取付位置に正確に取り付けられないと、特に良好な解像度ＭＴＦ（Ｍｏｄｕｌａｔｉｏｎ　ＴｒａｎｓｆｅｒＦｕｎｃｔｉｏｎ）特性が得られない等の理由のため、原稿画像の正確な読取が行われないことがあるので、読取センサ０６は所定の取付位置に正確に取り付けられていなければならない。
　【０００５】
　そのためには読取センサ０６の取付位置を高精度に調整して、読取センサ０６をできるだけ所定の取付位置に正確に取り付ける必要がある。
　従来の読取センサの取付位置調整装置は、読取センサを取り付けたセンサ用基板を調整用台板に取り付け、この調整用台板を複写機本体に固定されるセンサプレートに２枚の調整用中板を介して三次元方向及びそれらの回転方向に調整可能に取り付けるようになっていた。
　そして、調整用台板及び調整用中板をそれぞれの調整用ねじにより各方向への移動することにより、位置調整が行われるようになっている。
　実際に位置調整をする際には、基準となるパターンを読取センサで読み取り、読取センサからのビデオ信号をオシロスコープに供給して、各調整部分を微調整しながらビデオ信号の波形を確認し、原稿面基準位置に対する読取センサの位置決めをしている。
　【０００６】
　しかしながら、この位置調整装置は構造が複雑であるうえ部品点数が多いためコストが高く、しかも調整方法も複雑であるため調整に時間がかかるという問題がある。
　特に、位置調整は通常工場での出荷時に行われるが、販売先においても位置調整を行う必要があるため、上述のような位置調整装置ではそのような販売先の位置調整に十分に対応することができない。
　【０００７】
　そこで、読取センサが直接取り付けられたセンサ用基板を、予め台板に対して所定の精度内に位置調整した後に固定して読取センサアセンブリを構成し、該読取センサアセンブリを読み取り光学系に対して位置調整可能に取り付けることにより上述のような問題を解決した画像読取装置が提案されている。
　この画像読取装置によれば、販売先において読取センサあるいはセンサ基板が故障した際に、読取センサアセンブリのみを交換するだけで読取センサを高精度に取り付けることができる。
　【０００８】
　【発明が解決しようとする課題】
　しかしながら、この読取センサアセンブリを画像読取装置本体の読み取り光学系に対して取り付ける際に、更に倍率調整、Ｓｋｅｗ調整あるいはサイドレジ調整等の種々の調整を行う必要がある。
　このため、予め読取センサの位置が調整された読取センサアセンブリであっても、画像読取装置本体に対する取付・交換が面倒なるという問題がなおもある。
　【０００９】
　本発明は、このような問題に鑑みてなされたものであって、その目的は、できるだけ調整を少なくして読取センサアセンブリの取付・交換をより一層容易にすることのできる画像読取装置を提供することである。
　【００１０】
　【課題を解決するための手段および作用】
　前述の課題を解決するために、請求項１の発明は、読取センサが取り付けられたセンサ用基板を台板に取り付けることにより読取センサアセンブリを構成し、該読取センサアセンブリを読み取り光学系内に取り付けている。
　その場合、サイドレジ狂い検出手段によりサイドレジ（読取センサの画像領域スタート位置）の狂いを検出し、検出されたサイドレジ狂い量に応じて、電子サイドレジ位置調整手段が画像読取装置の電気処理系における読取センサの画像領域スタート位置を調整するようにしている。
　【００１１】
　これにより、読取センサアセンブリの取付・交換時にサイドレジの調整が不要となるので、読取センサの位置調整が更に一層容易となるとともに、読取センサアセンブリの取付・交換が容易となる。
　
【００１２】
　【発明の実施の形態】
　以下、図面を参照して、本発明の実施例について説明する。
　
【００１３】
　図１は本発明に係る画像読取装置の一実施例を示す平面図である。
　なお本実施例においては、本発明を白黒用複写機に適用した場合を例にして説明する。
　
【００１４】
　図１に示すように、ベースプレート１に読取センサ２及び光学レンズ３が配設されており、このベースプレート１はカラー複写機本体の副走査方向に平行に延びる一対のフレーム４，５間に架設され、両側縁に設けられた二対の長孔６，７，８，９を貫通するねじ（不図示）により副走査方向、すなわち光軸方向（ｘ軸方向）に位置調整可能に取り付けられるようになっている。
　
【００１５】
　読取センサ２は、図２に示すように１本の画素列２ａが配設された１ラインセンサとして形成され、図３及び図４に示すようにセンサ用基板１０に取り付けられている。
　このセンサ用基板１０が２個の取付ねじ１１，１２、調整用スタッドねじ１３，１４及び取付調整用ナット１５，１６により取付台板１７に取り付けられて、読取センサアセンブリ１８が構成されている。
　センサ用基板１０と取付台板１７との取付を更に詳細に説明すると、図５に示すようにセンサ用基板１０には、取付ねじ１１が貫通する、該取付ねじ１１の外径より大径の孔１９及び図４に示すように位置調整用孔２０，２１がそれぞれ穿設されている。
　なお、センサ用基板１０には、図示しないが取付ねじ１２が貫通する、孔１９と同様の孔も穿設されている。
　
【００１６】
　また図６及び図７に示すように、取付台板１７にはほぼ中央に光学レンズ３からの光学像を透過させるための孔２２が穿設されていると共に、スタッド嵌合取付孔２３，２４が穿設されている。
　このスタッド嵌合取付孔２３，２４にはそれぞれスタッド２５，２６が嵌合固定されている。
　図５に詳細に示すように、スタッド２５は調整用スタッドねじ１３が摺動可能に貫通する孔２７を有する円筒状に形成されており、その外周にはフランジ２８が形成されている。このフランジ２８の一面が取付台板１７の内面側に当接して、スタッド２５が取付台板１７に固定されている。スタッド２６もスタッド２５と同様である。
　更に取付台板１７には、後述するように取付台板１７を位置調整兼取付装置３９に取り付けるための取付ねじ３０，３１（図１に図示）の貫通孔３２，３３が穿設されていると共に、位置調整用孔３４，３５がそれぞれ穿設されている。
　
【００１７】
　更に、図３に示すように取付台板１７の上端縁にはフランジ３６が折曲されて形成されており、このフランジ３６によって取付台板１の剛性が高められている。
　また、図１及び図３に示すようにこのフランジ３６は取付台板１７とセンサ用基板１０との間の一部を覆うように延びて設けられ、外部から読取センサ２の方へ進入して来るフレア光Ｆがこのフランジ３６により反射され、フレア光Ｆの読取センサ２への進入が阻止されるとともに、外部から塵等の異物が読取センサ２の方へ侵入するのも防止されるようになる。
　
【００１８】
　読取センサアセンブリ１８を組み立てるには、図５においてまずスタッド２５のフランジ２８と調整用スタッドねじ１３の頭部１３ａとの間にスプリング３７を縮設した状態で、調整用スタッドねじ１３をスタッド２５の孔２７に貫通させ、取付調整用ナット１５によりスタッド２５に取り付ける。同様にして、もう一方の調整用スタッドねじ１４もスタッド２６との間にスプリング３８を介在させて取付調整用ナット１６によりスタッド２６に取り付ける。
　次いで、読取センサ２が取り付けられたセンサ用基板１０の孔１９に取付ねじ１１を貫通しかつ調整用スタッドねじ１３の頭部１３ａに形成された雌ねじ孔に螺合すると共に、同様の方法で取付ねじ１２を調整用スタッドねじ１４の頭部に螺合することにより、該センサ用基板１０を調整用スタッドねじ１３，１４に取り付ける。
　
【００１９】
　その場合、センサ用基板１０を調整用スタッドねじ１３，１４に固定する前に、予めセンサ用基板１０の位置調整を行うが、その位置調整として、まずセンサ用基板１０のＳｋｅｗ調整を行う。
　すなわち、取付台板１７の基準（例えば、貫通孔３２，３３を基準とすることができる）に対して、光軸方向（ｘ軸方向）以外の方向すなわち図１０においてｙ軸方向及びｚ軸方向におけるセンサ用基板１０の相対位置を所定の精度をもって予めサブ調整した後、センサ用基板１０を調整用スタッドねじ１３，１４に固定するようにする。
　この位置調整は、実開平２ー号公報に開示されているサブ調整治具を用い、そのサブ調整治具ピンを位置調整用孔２０，２１，３４，３５に嵌合して同公報に開示されている調整方法で行うことができる。
　したがって、位置調整の説明は省略する。
　
【００２０】
　次に光軸方向の調整、すなわちＭＴＦの調整を行う。
　この調整は取付調整用ナット１５，１６を適宜回動することにより、取付台板１７の基準（例えば、取付台板１７の外側面１７ａを基準面とすることができる）に対して、センサ用基板１０の光軸方向（ｘ軸方向）の位置を所定の精度をもって調整する。
　その場合、調整用スタッドねじ１３，１４と取付調整用ナット１５，１６とによりｘ軸方向の調整を行うので、微調整が可能となる。
　そして、スプリング３７，３８によりスタッド２５と調整用スタッドねじ１３との間のガタが吸収されると共に緩みが防止され、センサ用基板１０の光軸方向の位置が調整された位置に確実に保持される。
　
【００２１】
　こうして、センサ用基板１０が取付台板１７の基準に対してｘ軸方向、ｙ軸方向及びｚ軸方向に所定の精度をもって予めサブ調整された読取センサアセンブリ１８が構成される。
　そして、位置調整するにあたって、先にＳｋｅｗ調整を行い、その後でＭＴＦ調整を行うことにより、先に調整したＳｋｅｗがＭＴＦ調整後にも変化しないという利点が得られる。
　
【００２２】
　また、図５に示すように本実施例では光軸方向の位置調整を可能にするためにスタッド２５と調整用スタッドねじ１３との間に調整しろＡが設けられている。
　この調整しろＡを設定することにより、調整不能や調整し過ぎ等の不具合を防止することができる。
　そして、調整しろＡを設けたことによりスタッド２５，２６と調整用スタッドねじ１３，１４との間に生じるガタはスプリング３７，３８によりそれぞれ吸収されるようになる。
　
【００２３】
　センサ用基板１０、すなわち読取センサ２の位置が予めサブ調整された読取センサアセンブリ１８は、図１に示すように位置調整兼取付装置３９によってベースプレート１にｙ軸方向、ｚ軸方向、ｘ軸回りの回転方向イ（図１０に図示）、ｚ軸回りの回転方向カ（同）において位置調整可能に取り付けられる。
　
【００２４】
　一方図１に示すように、ベースプレート１の中央には、光学レンズ３が支持ケーシング５５により光軸（ｘ軸）方向に位置調整可能にベースプレート１に固定されている。
　なお、本実施例における読取センサ２以外の読み取り光学系は、図示しないが例えば図１１に示す従来の一般的な読み取り光学系により構成することができる。
　
【００２５】
　このように読取センサ２のｘ軸方向、ｙ軸方向及びｚ軸方向の位置がサブ調整された読取センサアセンブリ１８の位置調整は、図１０に示すように、ｘ軸方向（副走査方向；光軸方向）ア、ｘ軸まわりの回転方向イ、ｙ軸方向（副走査方向）ウ、ｙ軸まわりの回転方向（あおり方向）エ、ｚ軸方向（上下方向）オ、ｚ軸まわりの回転カの６方向について行われる。
　これらの調整は本発明に直接関係ないので省略する。
　
【００２６】
　ところで、読取センサ２が読み取った有効画像の領域を設定するサイドレジの位置調整は、読取センサ２からの画像信号を電気的に処理する電気処理系で調整するようにしている。
　すなわち、図８（Ａ）において読取センサ２の有効センサ面に対してサイドレジ、すなわちセンサの有効画像領域位置をａ点でスタートしてｂ点までの範囲になるように電気処理系において調整されている。
　その場合、ａ点からｂ点までの範囲は用紙に応じて電気処理系において調整されるようになっている。しかし、読取センサアセンブリ１８を位置調整兼取付装置３９に取付あるいは交換した際に、図８（Ｂ）に示すようにセンサの画像領域スタート位置がａからａ′に狂いが生じることが考えられる。
　このサイドレジの狂いを読取センサアセンブリ１８の位置調整兼取付装置３９に対する位置の調整により解消しようとすると、サイドレジの位置調整を行わなければならなく、位置調整が煩わしいばかりでなく、位置調整兼取付装置３９の取付・交換が面倒なものとなる。
　そこで本実施例においては、位置調整兼取付装置３９の取付・交換時に生じるサイドレジの狂いを電気処理系で行うようにしている。
　すなわち、図９に示すようにサイドレジの狂いを検出するサイドレジ狂い検出手段６１を設けるとともに、電子サイドレジ調整装置６２を電気処理系に設けている。
　したがって、位置調整兼取付装置３９の取付・交換時にサイドレジの狂いが生じた場合には、サイドレジ狂い検出手段６１によりその狂い量γが検出され、検出された狂い量γに応じて電子サイドレジ調整装置６２がサイドレジの位置を自動的に調整するようになっている。
　すなわちセンサの画像スタート位置がａ点からａ′点に調整される。その場合、電子サイドレジ調整装置６２は原稿の用紙のサイズに合わせて調整するようになっている。
　
【００２７】
　なお、前述の実施例ではサイドレジの位置の調整を自動的に行うようにしているが、画像読取装置本体に例えばサイドレジの位置調整キー等の操作手段を設け、例えばユーザーがこの操作手段を操作することにより、手動でサイドレジの位置の調整を行うようにすることもできる。
　
【００２８】
　また前述の実施例では、本発明を白黒用複写機に適用した場合を例にして説明しているが、本発明はカラー用複写機等の他の画像読取装置にも適用できる。
　更に読取センサ２は白黒用の１ラインセンサで構成するものとしているが、本発明はカラー用の３ラインセンサ等の複数のラインセンサの場合にも適用できることはいうまでもない。
　
【００２９】
　【発明の効果】
　以上の説明から明らかなように、本発明によれば、読取センサアセンブリの取付・交換時にサイドレジの調整が不要となるので、読取センサの位置調整がより一層容易となるとともに、読取センサアセンブリの取付・交換が容易となる。
【図面の簡単な説明】
　【図１】本発明に係る画像読取装置の一実施例に用いられる読取センサおよび光学レンズの取付状態を示す平面図である。
　【図２】この実施例の読取センサである３ラインセンサを示す図である。
　【図３】この実施例における読取センサアセンブリの平面図である。
　【図４】この実施例における読取センサアセンブリの側面図である。
　【図５】図４におけるＶーＶ線に沿う部分拡大断面図である。
　【図６】この読取センサアセンブリにおける取付台板の正面図である。
　【図７】この取付台板の下面図である。
　【図８】サイドレジ及びサイドレジ狂いを模式的に示す斜視図である。
　【図９】本発明の一実施例を示す模式図である。
　【図１０】位置調整方向を示す図である。
　【図１１】従来の一般的な画像読取装置における光学系を示す模式図である。
　【図１２】この光学系を展開した図である。
　【符号の説明】
　１…ベースプレート、２…読取センサ、３…光学レンズ、１０…センサ用基板、１３，１４…調整用スタッドねじ、１５，１６…取付調整用ナット、１７…取付台板、１８…読取センサアセンブリ、２５，２６…スタッド、２９…第３調整プレート、３６…フランジ（フレア光遮蔽手段）、３７，３８…スプリング、３９…位置調整兼取付装置、６１…サイドレジ狂い検出手段、６２…電子サイドレジ調整装置、ａ…センサの画像領域スタート位置を示す点、γ…サイドレジ狂い